(57)【要約】【課題】固定部材が外れた場合であっても、吐水ヘッドの落下を防止し、安全に使用することができるオーバーヘッドシャワー装置を提供する。【解決手段】本発明は、壁面に固定されるオーバーヘッドシャワー装置(1)であって、吐水ヘッド(2)と、吐水ヘッドを壁面に固定支持する支持部(4)と、吐水ヘッドを支持部に固定する固定部材(16)と、支持部に設けられ係合部を有する挿入バー(30)、及び吐水ヘッドに設けられたバー受け部(34)から構成された脱落防止機構と、を備え、挿入バーはバー受け部に側方から挿入され、固定部材は、挿入バーがバー受け部に挿入された状態で吐水ヘッドを支持部に固定するものであり、固定部材が外れた場合において、係合部がバー受け部と係合することにより、挿入バーのバー受け部からの抜けが防止され、吐水ヘッドの支持部からの脱落が防止されることを特徴としている。【選択図】図４
2018139698.tif 000002
【特許請求の範囲】
【請求項１】
壁面に固定され上方から水を吐水するオーバーヘッドシャワー装置であって、
複数の散水孔が形成された吐水ヘッドと、
上記吐水ヘッドを上記壁面に固定支持するとともに、給水源から供給された水を上記吐水ヘッドに流入させる通水路を内部に有する支持部と、
上記吐水ヘッドを上記支持部に固定する固定部材と、
上記吐水ヘッドまたは上記支持部の一方に設けられた挿入バー、及び上記吐水ヘッドまたは上記支持部の他方に設けられたバー受け部から構成された脱落防止機構と、
を備え、
上記挿入バーは上記バー受け部に側方から挿入され、上記固定部材は、上記挿入バーが上記バー受け部に挿入された状態で上記吐水ヘッドを上記支持部に固定するものであり、上記固定部材が外れた場合において、上記挿入バーが上記バー受け部と係合することにより、上記吐水ヘッドの上記支持部からの脱落が防止されることを特徴とするオーバーヘッドシャワー装置。
【請求項２】
さらに、上記吐水ヘッドの内部に形成された通水路と上記支持部の内部に形成された通水路との間を水密に接続する接続部を備え、上記挿入バー又は上記バー受け部は上記挿入バーの上記バー受け部からの抜けを阻止するように係合する係合部を備え、上記固定部材によって上記吐水ヘッドが上記支持部に固定された状態においては、上記係合部は係合しておらず、上記固定部材が外れ、上記挿入バーが上記バー受け部から抜け始めた場合において、上記係合部が係合するよりも前に、上記接続部による接続が外れ、水密が破れることを特徴とする請求項１記載のオーバーヘッドシャワー装置。
【請求項３】
吐水時において、上記吐水ヘッドまたは上記支持部の内部に設けられた通水路に作用する水圧は、上記挿入バーを上記バー受け部から引き抜く方向に作用し、上記挿入バーを上記バー受け部から引き抜く方向は、上記接続部による接続が外れる方向と略一致するように構成されていることを特徴とする請求項２記載のオーバーヘッドシャワー装置。
【請求項４】
上記固定部材が外れ、上記脱落防止機構により上記吐水ヘッドの脱落が阻止されている状態においては、上記脱落防止機構は、上記吐水ヘッドが上記支持部に対して実質的に傾斜しないように上記吐水ヘッドを保持することを特徴とする請求項１乃至３のいずれか一項に記載のオーバーヘッドシャワー装置。
【請求項５】
上記挿入バーは、上記吐水ヘッドまたは上記支持部の内部に挿入されるように構成されていることを特徴とする請求項１乃至４のいずれか一項に記載のオーバーヘッドシャワー装置。
【請求項６】
上記脱落防止機構は、上記吐水ヘッドを上方に移動させることによって上記挿入バーと上記バー受け部の係合が解除されるように構成されており、これにより上記吐水ヘッドの上記支持部からの取り外しが可能になることを特徴とする請求項１乃至５のいずれか一項に記載のオーバーヘッドシャワー装置。
【発明の詳細な説明】
【技術分野】
【０００１】
本発明は、オーバーヘッドシャワー装置に関し、特に、壁面に固定され上方から水を吐水するオーバーヘッドシャワー装置に関する。
【背景技術】
【０００２】
従来、一般的にオーバーヘッドシャワー装置は大型であり重量もあるため、取り付け時の施工性などの観点から、複数の散水孔が形成されている吐水ヘッドと、吐水ヘッドを壁面に固定支持するための支持部と、が分解可能に構成されている。
【０００３】
このようなオーバーヘッドシャワー装置は、使用者の上方に固定支持された状態で使用されるため、吐水ヘッドと支持部との施工時の不完全な取り付けや、経年劣化による接続部品の破損などにより、吐水ヘッドが落下するとシャワー室の床面などを傷つけてしまうおそれがあった。そこで、吐水ヘッドの落下を防止し、安全に使用できるオーバーヘッドシャワー装置が求められている。
【０００４】
特開２００４−１１３６９９（特許文献１）記載のオーバーヘッドシャワー装置において、吐水ヘッドの落下防止のために、吐水ヘッドと支持部とを固定部材で接続した後に、接続が緩まないように止めねじによる補助固定部材が備えることが提案されている。
【先行技術文献】
【特許文献】
【０００５】
【特許文献１】特開２００４−１１３６９９号公報
【発明の概要】
【発明が解決しようとする課題】
【０００６】
しかしながら、特許文献１の構成では、補助固定部材がきちんと固定されていない場合や、経年変化などにより止めねじが緩み、補助固定部材が落下防止のための機能を果たさなくなってしまうおそれがあり、改善の余地があった。
【０００７】
本発明は、上記課題を解決するためになされたものであり、固定部材が外れた場合であっても、吐水ヘッドの落下を防止し、安全に使用することができるオーバーヘッドシャワー装置を提供することを目的としている。
【課題を解決するための手段】
【０００８】
上記目的を達成するために本発明は、壁面に固定され上方から水を吐水するオーバーヘッドシャワー装置であって、複数の散水孔が形成された吐水ヘッドと、吐水ヘッドを壁面に固定支持するとともに、給水源から供給された水を吐水ヘッドに流入させる通水路を内部に有する支持部と、吐水ヘッドを支持部に固定する固定部材と、吐水ヘッドまたは支持部の一方に設けられた挿入バー、及び吐水ヘッドまたは支持部の他方に設けられたバー受け部から構成された脱落防止機構と、を備え、挿入バーはバー受け部に側方から挿入され、固定部材は、挿入バーがバー受け部に挿入された状態で吐水ヘッドを支持部に固定するものであり、固定部材が外れた場合において、挿入バーがバー受け部と係合することにより、吐水ヘッドの支持部からの脱落が防止されることを特徴としている。
【０００９】
このように構成された本発明によれば、挿入バーはバー受け部に側方から挿入され、固定部材は、挿入バーがバー受け部に挿入された状態で吐水ヘッドを支持部に固定するものであり、固定部材が外れた場合において、挿入バーがバー受け部と係合することにより、吐水ヘッドが支持部から脱落することが防止されるため、万が一固定部材が、経年変化などにより外れてしまった場合でも、脱落防止機構により、吐水ヘッドが支持部から脱落しない。
また、脱落防止機構は係合することで脱落を防止するため、ボルトやねじなど締め付けによる固定と異なり、経年変化による緩み等が発生せず、固定部材が外れた際は確実に脱落を防止することができる。
【００１０】
本発明において、好ましくは、さらに、吐水ヘッドの内部に形成された通水路と支持部の内部に形成された通水路との間を水密に接続する接続部を備え、挿入バー又はバー受け部は挿入バーのバー受け部からの抜けを阻止するように係合する係合部を備え、固定部材によって吐水ヘッドが支持部に固定された状態においては、係合部は係合しておらず、固定部材が外れ、挿入バーがバー受け部から抜け始めた場合において、係合部が係合するよりも前に、接続部による接続が外れ、水密が破れることを特徴としている。
【００１１】
このように構成された本発明によれば、固定部材が外れた場合、脱落防止機構の係合部が係合して吐水ヘッドの脱落を防止するまでの間に、通水路の接続部が外れ水密が破れるため、水がオーバーヘッドシャワー装置の外部に漏れ出すことで、早期に固定部材が外れていることを使用者に報知することができる。
【００１２】
本発明において、好ましくは、吐水時において、吐水ヘッドまたは支持部の内部に設けられた通水路に作用する水圧は、挿入バーをバー受け部から引き抜く方向に作用し、挿入バーをバー受け部から引き抜く方向は、接続部による接続が外れる方向と略一致するように構成されていることを特徴としている。
【００１３】
このように構成された本発明によれば、固定部材が外れた状態では、吐水時に通水路を流れる水の水圧により、接続部が外れる方向に移動し水密が破れるため、使用者がオーバーヘッドシャワーを使用する際には、水漏れが発生し、固定部材が外れていることを確実に使用者に報知することができる。
【００１４】
本発明において、好ましくは、固定部材が外れ、脱落防止機構により吐水ヘッドの脱落が阻止されている状態においては、脱落防止機構は、吐水ヘッドが支持部に対して実質的に傾斜しないように吐水ヘッドを保持することを特徴としている。
【００１５】
このように構成された本発明によれば、脱落防止機構によって保持されている状態において、支持部に対して吐水ヘッドが傾斜しないため、吐水ヘッドが傾くことにより吐水ヘッドの設置高さが低くなることで使用者へ衝突することを抑制することができる。
【００１６】
本発明において、好ましくは、挿入バーは、吐水ヘッドまたは支持部の内部に挿入されるように構成されていることを特徴としている。
【００１７】
このように構成された本発明によれば、挿入バーが、オーバーヘッドシャワー装置の内部に隠蔽されているため、意匠性を損なうことがない。
【００１８】
本発明において、好ましくは、脱落防止機構は、吐水ヘッドを上方に移動させることによって挿入バーとバー受け部の係合が解除されるように構成されており、これにより吐水ヘッドの支持部からの取り外しが可能になることを特徴としている。
【００１９】
このように構成された本発明によれば、吐水ヘッドを上方に移動させることで、係合が解除されるため、吐水ヘッドは一般的に大型で重く、下方へ自重が作用しているので、万が一衝撃が吐水ヘッドに加わったとしても、該衝撃により吐水ヘッドが支持部から外れることを防げ、より安全性を高めることができる。
【発明の効果】
【００２０】
本発明によれば、脱落防止機構により、万が一固定部材が、経年変化などにより外れてしまった場合でも、吐水ヘッドが支持部から脱落しない。
また、脱落防止機構は係合することで脱落を防止するため、ボルトやねじなど締め付けによる固定と異なり、経年変化による緩み等が発生せず、固定部材が外れた際は確実に脱落を防止することができる。
【図面の簡単な説明】
【００２１】
【図１】本発明の実施形態のオーバーヘッドシャワー装置を備えたシャワー室を示した説明図である。
【図２】本発明の実施形態のオーバーヘッドシャワー装置を図１中のII−II線に沿って切断した部分断面図である。
【図３】本発明の実施形態のオーバーヘッドシャワー装置の吐水部及び支持部を示した分解斜視図である。
【図４】本発明の実施形態のオーバーヘッドシャワー装置を図１中のIV−IV線に沿って切断した部分断面図である。
【図５】本発明の実施形態のオーバーヘッドシャワー装置において挿入バーが挿入バー受け部に挿入されている状態を示す断面図であって、（ａ）固定ねじによりシャワーヘッドが支持部に固定されている場合、（ｂ）固定ねじが外れた場合を示す図である。
【図６】図５（ｂ）の状態での挿入バーと挿入バー受け部との関係を示す断面図である。
【図７】本発明の実施形態のオーバーヘッドシャワー装置において支持部から吐水ヘッドを取り外す際の動作を示した断面図である。
【発明を実施するための形態】
【００２２】
以下、本発明の実施の形態について図面を参照しつつ説明する。
はじめに、図１及び図２にて本発明の実施形態におけるオーバーヘッドシャワー装置１の全体構成について以下に説明する。
【００２３】
図１は本発明の実施形態におけるオーバーヘッドシャワー装置を備えたシャワー室を示した説明図である。図２は、本発明の実施形態におけるオーバーヘッドシャワー装置を図１中のII−II線に沿って切断した部分断面図である。
【００２４】
オーバーヘッドシャワー装置１は使用者に対して上方から吐水を行うオーバーヘッドシャワーであり、シャワー室の壁面Ｗ（以下、シャワー室の壁面を「壁面」と称する。）に固定されている。
【００２５】
オーバーヘッドシャワー装置１は、使用者に対して上方から吐水を行うシャワーヘッド２と、シャワーヘッド２を壁面Ｗに固定支持している支持部４と、を備えている。本実施形態のオーバーヘッドシャワー装置１においては、使用者が壁面Ｗに設けられた操作ハンドル１３を操作することにより、シャワーヘッド２の下面に設けられたシャワー吐水孔１２（図２）からのシャワー吐水を行うことができる。なお、本実施形態において、水とは湯、湯と水を混合した適温水などを含む。
【００２６】
図１に示すようにシャワーヘッド２は、円盤状である円盤部６と、円盤部６上面の中心部から上方に延びる円柱状の円柱部８と、を有している。
円盤部６の下面には、中心に整流吐水を行うための整流吐水孔１０が形成され、その周囲にシャワー吐水を行うための複数の散水孔であるシャワー吐水孔１２が形成されている（図２）。
【００２７】
図２に示すように、シャワーヘッド２の円柱部８の内部には概ね円柱形の金属製の通水路形成部材１４が内蔵されている。この通水路形成部材１４の内部には、支持部４を介して供給された水を整流吐水孔１０へ導くための整流用通水路１４ａ、及び各シャワー吐水孔１２へ導くためのシャワー用通水路１４ｂが夫々形成されている。また、支持部４の内側には整流用配管及びシャワー用配管（整流用配管１７のみ図示）が挿通されており、通水路形成部材１４の側面には、これらの配管を夫々接続するための通水接続部１４ｃが設けられている。
【００２８】
シャワーヘッド２の円盤部６の内部には、薄いドーナツ板状の通水路形成板１８及び薄い円板状のシリコン製の散水ノズル形成部材１９が内蔵されている。
整流用通水路１４ａによって導かれた水は、通水路形成板１８中央の開口を貫通して延びる通路を通って、円盤部６下面中央の整流吐水孔１０へ導かれる。
【００２９】
散水ノズル形成部材１９は、円板状のシリコン製の部材であり、その下面には切頭円錐型状に形成された複数の散水ノズル２１が下方に向けて突出するように形成されている。各散水ノズル２１先端の開口がシャワー吐水孔１２として機能する。散水ノズル形成部材１９は、円盤部６の中に、通水路形成板１８と平行に延びるように配置されている。シャワー用通水路を介して導かれた水は、散水ノズル形成部材１９と通水路形成板１８の間の空間に流入し、散水ノズル形成部材１９に設けられた各散水ノズル２１のシャワー吐水孔１２から吐水される。
【００３０】
図２に示すように、支持部４は、長方形断面の筒状の部材であり（図１）、給水源から供給されてきた水をシャワーヘッド２へ向けて通水させるための通水路である整流用配管１７及びシャワー用配管（図示せず）が内部に配置されている。
【００３１】
支持部４の先端は、シャワーヘッド２の円柱部８の側面に挿入されており、シャワーヘッド２と支持部４とは、固定ねじ１６（図３参照）によって結合されている。
支持部４の基端は、壁面Ｗの内部まで延びており、給水源である建物内の配管（図示せず）にねじ（図示せず）によって結合されている。
【００３２】
また、支持部４の中に配置されている整流用配管１７及びシャワー用配管（図示せず）の先端には、接続部である円筒状の接続部材３８がろう付けにより夫々取り付けられている。これらの接続部材３８は、整流用配管１７及びシャワー用配管と水密性を保持するように接合されていると共に、先端がテーパ状となっており、外周に溝が形成されており、この溝にОリングが嵌め込まれている。
【００３３】
これらの接続部材３８が取り付けられた整流用配管１７及びシャワー用配管をそれぞれ通水路形成部材１４に形成され外部に開口している整流用通水路１４ａ及びシャワー用通水路１４ｂ（図３）に挿入することで、接続部材３８に嵌め込まれたＯリングによるシールがされ両者の間の水密性が確保される。
なお、本実施形態においては接続部材３８と整流用配管１７及びシャワー用配管を別部材としているが、整流用配管１７及びシャワー用配管又は通水路形成部材１４に溝を形成しОリングを挿入することで、整流用配管１７及びシャワー用配管に通水の機能と接続の機能を併用させても良い。
【００３４】
次に、シャワーヘッド２と支持部４との詳細な取り付け構造について図３及び図４にて説明する。
図３は、本発明の実施形態におけるオーバーヘッドシャワー装置の吐水部及び支持部を示した分解斜視図である。図４は、本発明の実施形態におけるオーバーヘッドシャワー装置を図１中のIV−IV線に沿って切断した部分断面図である。
【００３５】
図３に示すように、シャワーヘッド２には、円柱部８の側面に長方形状に開口している開口部２２が設けられており、この開口部２２から開口部２２に対して直交するように通水路形成部材１４に設けられている通水接続部１４ｃが外部に延出している。
この通水接続部１４ｃは、延出した先端において、外部に向けて整流用通水路１４ａ及びシャワー用通水路１４ｂが開口している。
【００３６】
支持部４には、支持部４先端の下方の両側面からさらに前方に向かって延びる延出部２６と、この延出部２６の先端において上方に延びる係合部である鉤状の爪部２８と、を有する挿入バー３０、が設けられている。
【００３７】
通水接続部１４ｃの横幅は、円柱部８の開口部２２の横幅の寸法より小さく、開口部２２の左右端と通水接続部１４ｃの左右端との間にそれぞれ、支持部４に設けられた挿入バー３０を挿入するための隙間が設けられている。一方、通水路形成部材１４の両側の側面には、挿入バー３０を挿入するための溝である挿入バー受け部３４（図４参照）が夫々設けられている。各挿入バー３０は、円柱部８の開口部２２に挿入されると、挿入バー受け部３４の中に受け入れられる。
【００３８】
また、図３に示すように、通水接続部１４ｃの上面には雌ねじ穴３２が設けられ、支持部４の上面にはねじ穴４ａが設けられている。支持部４に設けられている挿入バー３０がシャワーヘッド２の内部に設けられている挿入バー受け部３４に挿入された状態において、ねじ穴４ａを通して固定ねじ１６を雌ねじ穴３２にねじ込むことにより、支持部４にシャワーヘッド２が固定される。この際、通水接続部１４ｃは、支持部４の内部に設けられた整流用配管１７及びシャワー用配管と接続されると共に、挿入バー３０は挿入バー受け部３４に対し、水平状態を維持した状態で固定される。
【００３９】
図４に示すように、シャワーヘッド２の内部に設けられている挿入バー受け部３４は、挿入バー３０を受け入れ可能な大きさに形成されており、挿入バー受け部３４を形成する溝の上側の壁面には、下方に延びるリブ３６が開口部２２付近に設けられている。
挿入バー３０が挿入バー受け部３４に側方から挿入され、固定ねじ１６により固定された状態では、爪部２８とリブ３６とは離間している。
【００４０】
次に、図５及び図６にて、挿入バー３０が挿入バー受け部３４に挿入されている状態で、固定ねじ１６が外れた場合における動作を説明する。
図５は、本発明の実施形態におけるオーバーヘッドシャワー装置において、挿入バーが挿入バー受け部に挿入されている状態を示す模式的断面図であり、（ａ）は固定ねじによりシャワーヘッドが支持部に固定されている場合を示し、（ｂ）は固定ねじが外れた場合を示している。図６は、図５（ｂ）の状態での挿入バーと挿入バー受け部との関係を示す模式的断面図である。
【００４１】
図５（ａ）に示すように、支持部４内の整流用配管１７及びシャワー用配管（図示せず）の先端には接続部材３８が取り付けられており、この接続部材３８に嵌め込まれたОリングにより通水路形成部材１４と整流用配管１７及びシャワー用配管の間が水密に接続されている。
【００４２】
吐水時において、建物内の配管から供給された水は支持部４内部の整流用配管１７及び/又はシャワー用配管を経由し、シャワーヘッド２内部の通水路形成部材１４へ流入する。ここで、整流用配管１７及び/又はシャワー用配管の内部を前方方向へ直進してきた水の水圧により、通水路形成部材１４には前方方向へ向かう力が作用する。つまり、整流用配管１７やシャワー用配管の内部を通過する水の水圧が、シャワーヘッド２を支持部４から引き抜く方向に作用する。
【００４３】
固定ねじ１６が外れた状態においては、この引き抜く力に抵抗する力が弱くなるため、結果として、シャワーヘッド２が支持部４に対して移動され、これに伴い整流用配管１７及びシャワー用配管の先端にろう付けされている接続部材３８が、整流用通水路１４ａ及びシャワー用通水路１４ｂから引き抜かれる。これにより、整流用配管１７及びシャワー用配管と整流用通水路１４ａ及びシャワー用通水路１４ｂとの間の水密が破れ、供給された水がシャワーヘッド２と支持部４の接続部から漏れるようになる。
【００４４】
図６は、本発明の実施形態におけるオーバーヘッドシャワー装置において固定ねじが外れた際の動作を示す断面図である。
【００４５】
図６に示すように、固定ねじ１６が外れた場合は、水圧によりシャワーヘッド２は支持部４から引き抜かれる方向に移動する（図５（ｂ）参照）。
その際、挿入バー受け部３４に挿入されている挿入バー３０が、挿入バー受け部３４から引き抜かれ、挿入バー３０の先端に設けられている爪部２８が、挿入バー受け部３４のリブ３６に徐々に接近していく。この接近の過程で、接続部材３８が整流用通水路１４ａ及びシャワー用通水路１４ｂより抜けて水密が破れる。
【００４６】
やがて、爪部２８とリブ３６とが当接し係合すると、シャワーヘッド２の支持部４からの抜けが阻止される。このように、爪部２８が設けられた挿入バー３０及びリブ３６が設けられた挿入バー受け部３４は、脱落防止機構として機能し、この脱落防止機構が挿入バー受け部３４を挿入バー３０から引き抜く方向の移動を規制し、支持部４からのシャワーヘッド２の脱落を防止している。
【００４７】
また、支持部４に対してシャワーヘッド２が移動して、支持部４から抜け始めている状態であっても、図６に示すように、挿入バー３０先端の爪部２８の先が挿入バー受け部３４を形成する溝の上側の壁面に当接するとともに、支持部４に挿入されている通水接続部１４ｃの先端が支持部４の内壁面に当接している（図３）。
そのため、挿入バー受け部３４から挿入バー３０が引き抜かれ、シャワーヘッド２の重心が支持部４から離れて行ったとしても、シャワーヘッド２の内部に設けられた挿入バー受け部３４と挿入バー３０との当接及び支持部４と通水接続部１４ｃとの当接により、シャワーヘッド２は支持部４に対し実質的に重力により傾斜しないようになっている。
【００４８】
さらに、脱落防止機構が挿入バー３０と挿入バー受け部３４から構成されていることにより、万が一固定ねじ１６が、経年変化などにより外れてしまった場合でも、シャワーヘッド２の支持部４からの脱落を防止することができる。
また、脱落防止機構は挿入バー３０と挿入バー受け部３４の係合により脱落を防止するため、ボルトやねじなど締め付けによる固定と異なり、経年変化による緩み等が発生せず、固定ねじ１６が外れた際は確実に脱落を防止することができる。
【００４９】
次に、支持部４からシャワーヘッド２を取り外す際の動作について説明する。
図７は、本発明の実施形態におけるオーバーヘッドシャワー装置において支持部からシャワーヘッドを取り外す際の動作を示した断面図である
【００５０】
図７に示したように、挿入バー３０に設けられている爪部２８は上方に延びている。一方、爪部２８と係合するリブ３６は、挿入バー受け部３４を形成する溝の上側の壁面から下方に延びるように、シャワーヘッド２の開口部２２付近に設けられている。このため、シャワーヘッド２を支持部４から取り外す場合には、シャワーヘッド２を支持部４から引き抜くようにスライドさせた後、シャワーヘッド２を上方に持ち上げながら引き抜くように移動させることにより、支持部４から取り外すことができる。
【００５１】
本発明の実施形態のオーバーヘッドシャワー装置１によれば、脱落防止機構により、万が一固定ねじ１６が、経年変化などにより外れてしまった場合でも、シャワーヘッド２を支持部４から脱落しないようにすることができる。
また、脱落防止機構は挿入バー３０と挿入バー受け部３４が係合することで脱落を防止するため（図６）、ボルトやねじなど締め付けによる固定とは異なり、経年変化による緩み等が発生せず、固定ねじ１６が外れた場合にも確実に脱落を防止することができる。
【００５２】
また、本発明の実施形態のオーバーヘッドシャワー装置１によれば、固定ねじ１６が外れた場合、挿入バー３０の爪部２８と挿入バー受け部３４のリブ３６が係合してシャワーヘッド２の脱落を防止するまでの間に、接続部材３８が通水接続部１４ｃから外れ水密が破れるため（図５、図６）、水がオーバーヘッドシャワー装置１の外部に漏れ出すことで、早期に固定ねじ１６が外れていることを使用者に報知することができる。
【００５３】
さらに、本発明の実施形態のオーバーヘッドシャワー装置１によれば、固定ねじ１６が外れた状態では、吐水時に通水路形成部材１４内部の通水路を流れる水の水圧により、接続部材３８が通水接続部１４ｃから外れる方向に移動し水密が破れるため（図５）、使用者がオーバーヘッドシャワー装置１を使用する際には、水漏れが発生し、固定ねじ１６が外れていることを確実に使用者に報知することができる。
【００５４】
また、本発明の実施形態のオーバーヘッドシャワー装置１によれば、固定ねじ１６が外れ、挿入バー３０が挿入バー受け部３４と係合することによってシャワーヘッド２が支持部４上に保持されている状態においても、支持部４に対してシャワーヘッド２が傾斜しないため（図６）、シャワーヘッド２が傾くことによりシャワーヘッド２の設置高さが低くなることで使用者へ衝突することを抑制することができる。
【００５５】
さらに、本発明の実施形態のオーバーヘッドシャワー装置１によれば、挿入バー３０がシャワーヘッド２の内部に収容されて（図４）、隠蔽されているため、意匠性を損なうことがない。
【００５６】
また、本発明の実施形態のオーバーヘッドシャワー装置１によれば、挿入バー３０に爪部２８が形成され、挿入バー受け部３４にリブ３６が形成されており、シャワーヘッド２を上方に移動させることで、爪部２８とリブ３６の係合が解除される（図７）。シャワーヘッド２は、一般的に大型で重く、下方へ自重が作用しているので、万が一衝撃がシャワーヘッド２に加わったとしても、該衝撃によりシャワーヘッド２が支持部４から外れることを防げるため、より安全性を高めることができる。
【００５７】
以上、本発明の実施形態を説明したが、上述した実施形態に種々の変更を加えることができる。本発明においては、固定ねじ１６が外れた際に水密が破れ、水漏れにより使用者に報知することができるように構成されていることが好ましく、例えば、挿入バー受け部３４から挿入バー３０を引き抜く力は、シャワーヘッド２自身の自重やシャワーヘッド２に触れた人の力、またシャワーヘッド２を支持部から引き離すように作用させたバネの力などであっても良い。
【００５８】
また、上述した本発明の実施形態においては、支持部４に挿入バー３０が設けられ、シャワーヘッド２に挿入バー受け部３４が設けられていたが、シャワーヘッド２に挿入バー３０を設け、支持部４に挿入バー受け部３４を設けることもできる。
さらに、上述した本発明の実施形態においては、整流用配管１７は接続部材３８を介して通水接続部１４ｃに接続されていたが、整流用配管の先端を接続部として、通水接続部に直接接続することもできる。
【符号の説明】
【００５９】
１  オーバーヘッドシャワー装置
２  シャワーヘッド（吐水ヘッド）
４  支持部
６  円盤部
８  円柱部
１０  整流吐水孔
１２  シャワー吐水孔
１３  操作ハンドル
１４  通水路形成部材
１４ａ  整流用通水路
１４ｂ  シャワー用通水路
１４ｃ  通水接続部
１６  固定ねじ（固定部材）
１７  整流用配管
１８  通水路形成板
１９  散水ノズル形成部材
２１  散水ノズル
２２  開口部
２６  延出部
２８  爪部（係合部）
３０  挿入バー
３２  ねじ穴
３４  挿入バー受け部
３６  リブ
３８  接続部材（接続部）
Ｗ  壁面
【図１】
2018139698.tif 000003
【図２】
2018139698.tif 000004
【図３】
2018139698.tif 000005
【図４】
2018139698.tif 000006
【図５】
2018139698.tif 000007
【図６】
2018139698.tif 000008
【図７】
2018139698.tif 000009